(57)【要約】【解決手段】本発明は、多数の画素（１３）を有する画素マトリクス（１２）と、画素マトリクス（１２）の前方または背後に配置された光学素子（１５）と、画素マトリクス（１２）および光学素子（１５）を駆動するための制御ユニット（１６）とを備えた、３以上の異なる映像の同時再生のためのオートステレオスコピックスクリーンに関する。光学素子（１５）は、互いに隣り合って延びたストリップ状構造体の群を有する光学格子を形成し、光学格子の周期長（Ｄ１、Ｄ２、Ｄ３）は光学素子（１５）の駆動によって変化させることができる。従って、視聴距離（Ｌn、Ｌ；Ｌ´）の変化に対して制御ユニット（１６）は、周期長（Ｄ1、Ｄ2、Ｄ3）を増加または減少させ、同時に画素マトリクス（１２）上への映像情報の分配を変化させるように構成される。本発明はさらに、３以上の異なる映像を同時再生する対応する方法に関する。
2015531082.tif 000002
【特許請求の範囲】
【請求項１】
３以上の異なる映像の同時再生のためのオートステレオスコピックスクリーンであって、該オートステレオスコピックスクリーンは、多数の画素を有する画素マトリクスと、前記画素マトリクスの前方または背後に配置された光学素子と、前記画素マトリクスを駆動するための制御ユニットとを備え、
前記画素マトリクスの前記多数の画素は、前記多数の画素の平行な多数のストリップとなって配置され、前記多数のストリップは、鉛直であり、または前記鉛直に対して傾斜しており、
前記光学素子は光学格子を形成し、該光学格子は、互いに等距離の位置に隣り合い前記多数のストリップに平行に延びた、複数のストリップ状構造体の群を有し、前記光学格子は各場合に、前記多数の画素により発せられるまたは伝送される光に対し、画定された伝播方向を定め、
前記制御ユニットは複数の立体半映像の映像情報に基づいて前記画素マトリクスを駆動し、前記複数の立体半映像の夫々は、これと同じ数の、前記多数の画素の複数のサブセットのうち、１つのサブセット上で各場合に再生され、前記複数のサブセットの夫々は、前記多数のストリップのうちの１つまたは複数によって各場合に形成される前記多数の画素の複数の結合体の、群によって形成され、異なる前記複数のサブセットの前記複数の結合体は、水平方向において循環的に交替し、その結果、前記複数の立体半映像の夫々は、前記オートステレオスコピックスクリーンの前方の視聴距離で、横方向に位置のずれたいくつかの視聴ゾーンのうちの１つから各場合に見ることができ、
隣接する前記複数のストリップ状構造体の横方向の位置のずれにより画定される、前記光学格子の周期長は、前記光学素子の駆動によって変化させることができ、前記光学素子は前記制御ユニットによって駆動することができ、前記制御ユニットは、前記視聴距離の変化に対して以下の複数の段階、すなわち、
前記光学格子の前記周期長を拡大または減少させる段階と、
前記複数のサブセットを形成する、前記多数の画素の前記複数の結合体の幅または平均幅を前記多数のストリップの少なくとも１つの幅の分だけ変化させるようなやり方で、前記複数のサブセットを再画定する段階とを実行し、
その結果、複数の隣接する前記視聴ゾーンの横方向の位置のずれの相対的変化が、前記視聴距離の相対的変化よりも小さくなる、オートステレオスコピックスクリーン。
【請求項２】
前記制御ユニットは、前記視聴距離の前記変化に対して、前記複数のサブセットおよびこれに応じた再生される前記複数の立体半映像の、前記数を、さらに増加または減少させる請求項１に記載のオートステレオスコピックスクリーン。
【請求項３】
前記制御ユニットは、前記複数の結合体の全てまたは大多数が前記複数の結合体を通じて等しい整数の数の、前記多数の画素の前記多数のストリップによって各場合に形成されるように、前記複数のサブセットをそれにより各場合に画定し、さらに前記制御ユニットは、前記視聴距離の前記変化に対して前記整数の数を増加または減少させ、それにより前記光学格子の前記周期長を、前記複数のサブセットの前記数と前記変化の前の前記整数の数との積に対する、前記複数のサブセットの前記数と前記変化の後の前記整数の数との積の、比率に相当する係数によって変化させる請求項１または２に記載のオートステレオスコピックスクリーン。
【請求項４】
前記複数のサブセットの前記数に相当する、前記多数の画素の前記複数の結合体の個数に対して、前記複数の結合体のいずれにも割り当てられていない前記多数の画素のストリップ、または前記大多数の前記複数の結合体の幅とは異なる前記複数の結合体のうちの１つの幅に寄与する前記多数の画素のストリップが、平均で１つ未満となるように、前記制御ユニットは前記複数のサブセットをそれにより各場合に画定する請求項３に記載のオートステレオスコピックスクリーン。
【請求項５】
前記光学素子は駆動のために、前記多数のストリップに平行に延びた複数の電極の群を有し、前記制御ユニットは、各場合に前記複数のサブセットの前記数と前記整数の数との積に相当する数の前記複数の電極で周期を形成するように左から右へと周期的に変化する電気的コマンド変数で、前記複数の電極を各場合に駆動する請求項３または４に記載のオートステレオスコピックスクリーン。
【請求項６】
前記複数の電極の１つは前記多数の画素の前記多数のストリップの夫々に割り当てられ、隣接する前記複数の電極の横方向の位置のずれは、前記多数の画素の隣接する前記多数のストリップの横方向の位置のずれよりも係数（Ｌn／（Ｌn＋ａ））だけ小さく、ここでａは前記画素マトリクスと前記光学格子との間の距離を示し、Ｌnは前記オートステレオスコピックスクリーンのノミナルな視聴距離を示す請求項５に記載のオートステレオスコピックスクリーン。
【請求項７】
前記光学素子は液晶構造によって与えられる請求項１から６のいずれか一項に記載のオートステレオスコピックスクリーン。
【請求項８】
前記光学格子はレンチキュラーレンズであり、前記複数のストリップ状構造体は複数のシリンドリカルレンズ状レンズを形成する請求項１から７のいずれか一項に記載のオートステレオスコピックスクリーン。
【請求項９】
前記光学素子は液晶レンズ系である請求項１から８のいずれか一項に記載のオートステレオスコピックスクリーン。
【請求項１０】
視聴者の頭または両眼から前記オートステレオスコピックスクリーンまでの距離を検知するための装置を備え、前記制御ユニットは、検知された前記距離に前記視聴距離が相当するように前記画素マトリクスおよび前記光学素子を駆動し、また前記制御ユニットは、前記視聴距離が閾値を上回るまたは下回る場合に前記複数の段階を実行する請求項１から９のいずれか一項に記載のオートステレオスコピックスクリーン。
【請求項１１】
前記制御ユニットは、手動入力または入力信号に基づいて前記視聴距離を設定し、また前記制御ユニットは、前記手動入力または前記入力信号によって前記視聴距離の変化が画定され、これによって前記視聴距離が閾値を上回るまたは下回る場合に、前記複数の段階を実行する請求項１から１０のいずれか一項に記載のオートステレオスコピックスクリーン。
【請求項１２】
少なくとも１つの整数ｋ≧１に対し、
Ｌk＝Ｌn×Ｋ-1×（１＋ｖ）／（ｋ＋１）
で定義される閾値Ｌkを設け、ここでＬnは前記オートステレオスコピックスクリーンのノミナルな視聴距離を示し、Ｋは、前記多数の画素の２つの隣接するストリップから発せられる光が、前記ノミナルな視聴距離で前記オートステレオスコピックスクリーンに平行な向きの視聴平面に亘って、ＩＰＤを平均的な両眼の瞳の距離として定義した場合にＫ×ＩＰＤだけ横方向に位置がずれることになるといったように定義される、係数であり、ｖは０と１との間の値を有するパラメータであり、
前記制御ユニットは、前記閾値Ｌkを下回ると、各場合に前記複数の結合体の全てまたは大多数を形成する、前記多数の画素の前記多数のストリップの数をｋからｋ＋１に増加させ、前記閾値Ｌkを上回ると、各場合に前記複数の結合体の全てまたは大多数を形成する、前記多数の画素の前記多数のストリップの数をｋ＋１からｋに減少させる、請求項１０または１１に記載のオートステレオスコピックスクリーン。
【請求項１３】
前記制御ユニットは、手動入力または入力信号に基づいて、前記複数のサブセットおよびこれに応じた再生される前記複数の立体半映像の、前記数を設定する請求項１から１２のいずれか一項に記載のオートステレオスコピックスクリーン。
【請求項１４】
前記制御ユニットは、前記視聴距離の減少に対して、前記複数のサブセットを形成する前記複数の結合体の前記幅を増加させ、前記視聴距離の増加に対して該幅を減少させる請求項１から１３のいずれか一項に記載のオートステレオスコピックスクリーン。
【請求項１５】
３以上の異なる映像のオートステレオスコピックスクリーンでの同時再生の方法であって、前記オートステレオスコピックスクリーンは、多数の画素を有する画素マトリクスと、前記画素マトリクスの前方または背後に配置された光学素子とを備え、前記画素マトリクスの前記多数の画素は、前記多数の画素の平行な多数のストリップとなって配置され、前記多数のストリップは、鉛直であり、または前記鉛直に対して傾斜しており、前記光学素子は光学格子を形成し、該光学格子は、互いに等距離の位置に隣り合い前記多数のストリップに平行に延びた、複数のストリップ状構造体の群を有し、前記光学格子は各場合に、前記多数の画素により発せられるまたは伝送される光に対し、画定された伝播方向を定め、隣接する前記複数のストリップ状構造体の横方向の位置のずれにより画定される、前記光学格子の周期長は、前記光学素子の駆動によって変化させることができ、
複数の立体半映像の映像情報に基づいて、前記複数の立体半映像の夫々が、前記多数の画素の対応する数のサブセットのうちの１つの上で各場合に表示されるようなやり方で、前記画素マトリクスを駆動する段階であって、複数の前記サブセットの夫々は、前記多数のストリップのうちの１つまたは複数によって各場合に形成される前記多数の画素の複数の結合体の、群によって形成され、異なる前記複数のサブセットの前記複数の結合体は、水平方向において循環的に交替し、その結果、前記複数の立体半映像の夫々は、前記オートステレオスコピックスクリーンの前方の視聴距離で、横方向に位置のずれたいくつかの視聴ゾーンのうちの１つから各場合に見ることができる、段階と、
前記光学格子の前記周期長を増加または減少させること、および、前記複数のサブセットを形成する前記多数の画素の前記複数の結合体の幅または平均幅を前記多数のストリップの少なくとも１つの幅の分だけ変化させるようなやり方で、前記複数のサブセットを再画定することによって、前記視聴距離を変化させる段階であって、その結果、隣接するいくつかの前記視聴ゾーンの横方向の位置のずれの相対的変化が前記視聴距離の相対的変化よりも小さくなる、段階とを含む方法。
【請求項１６】
前記視聴距離を変化させるために、前記複数のサブセットおよびこれに応じた再生される前記複数の立体半映像の、前記数を、さらに増加または減少させる請求項１５に記載の方法。
【請求項１７】
前記複数の結合体の全てまたは大多数が前記複数の結合体を通じて同じ整数の数の、前記多数の画素の前記多数のストリップによって各場合に形成されるように、前記複数のサブセットはそれにより各場合に画定され、前記視聴距離を変化させる段階で前記整数の数を増加または減少させ、それにより前記光学格子の前記周期長を、前記複数のサブセットの前記数と前記視聴距離の前記変化の前の前記整数の数との積に対する、前記複数のサブセットの前記数と前記視聴距離の前記変化の後の前記整数の数との積の、比率に相当する係数によって変化させる請求項１５または１６に記載の方法。
【請求項１８】
前記複数のサブセットの前記数に相当する、前記多数の画素の前記複数の結合体の個数ごとに、前記複数の結合体のいずれにも割り当てられていない前記多数の画素のストリップ、または前記複数の結合体のうち残りの前記複数の結合体の幅とは異なる前記複数の結合体のうちの１つの幅に寄与する前記多数の画素のストリップが、平均で１つ未満となるように、前記複数のサブセットをそれにより各場合に画定する請求項１７に記載の方法。
【請求項１９】
前記視聴距離を減少させ、このために前記複数のサブセットを形成する前記複数の結合体の前記幅を増加させる、または、前記視聴距離を増加させ、このために前記複数のサブセットを形成する前記複数の結合体の前記幅を減少させる、請求項１５から１８のいずれか一項に記載の方法。
【請求項２０】
請求項１５から１９のいずれか一項に記載の方法を実行するための、請求項１から１４のいずれか一項に記載のオートステレオスコピックスクリーンの使用。
【発明の詳細な説明】
【技術分野】
【０００１】
本発明は、主請求項の前提部分による、３以上の異なる映像の同時再生のためのオートステレオスコピックスクリーンに関する。さらに本発明は、このオートステレオスコピックスクリーンで行うことができる、３以上の異なる映像の同時再生の方法に関する。
【背景技術】
【０００２】
既知のタイプのスクリーンは、多数の画素を有する画素マトリクスと、画素マトリクスの前方または背後に配置された光学素子と、画素マトリクスを駆動するための制御ユニットとを備え、画素マトリクスの画素は、平行な多数の画素のストリップとなって配置され、これらのストリップは、鉛直であり、または鉛直に対して傾斜しており、光学素子は、互いに等距離な形で隣り合ってストリップに平行に延びた、ストリップ状構造体の群を有する光学格子を形成し、この格子は各場合に、画素により発せられるまたは伝送される光に対し、画定された伝播方向を定める。それにより制御ユニットは、複数の立体半映像（stereoscopic half-pictures）の映像情報に基づいて画素マトリクスを駆動するように構成され、これらの半映像の夫々は、これと同じ数の画素のサブセットのうち１つのサブセット上で各場合に再生され、これらのサブセットの夫々は、前述のストリップのうちの１つまたは複数によって夫々形成される画素結合体の、群によって形成され、異なるサブセットのこれらの結合体は水平方向において循環的に交替し、その結果、立体半映像の夫々は、スクリーンの前方のある視聴距離で、いくつかの横方向に位置のずれた視聴ゾーンのうちの各場合に１つから見ることができる。
【０００３】
このタイプのスクリーンは、最新式のいわゆるマルチビューディスプレイとして知られており、例えば文献ＤＥ １０ ２０１０ ０３５ ６２６ Ａ１に、これで提案される発明の開始点として記載された。これらのスクリーンを的確に使用すると、前述の複数に相当する数の立体半映像のうちの１つが各場合に前述の画素のサブセット上で再生され、このうち直接隣接する結合体を含むサブセット上で再生される各場合に２つの半映像が、対になって互いに補完して立体映像となる。このようにして、個々の視聴者だけではなく互いに隣り合ってスクリーンの前方に置かれた数人の視聴者も、３次元的に現れる同じシーンの映像を各場合に知覚することができる。さらに、視聴者は３次元の印象を失わずにスクリーンの前方で横方向に動くことができる。実際に、動くことによって変化する視点から同じシーンが見える。
【発明の概要】
【発明が解決しようとする課題】
【０００４】
しかしながら従来のマルチビューディスプレイで不利益になっているのは、視聴者、または複数の視聴者の各々が、スクリーンの幾何学的特性によって定められるスクリーンまでのノミナルな視聴距離を両眼で維持している場合にのみ、適正な品質の３Ｄ映像を見ることができるという事実である。それ以外の場合に視聴者の各眼には、特にスクリーンの異なる領域において異なる半映像の寄与と、ある程度の重複が見える。
【０００５】
本発明の目的は、できる限り大きい制限範囲内で自由に選択できる様々な距離から、再生シーンの３次元的に作用する映像を各場合に見ることができ、説明した最新式のものと同様に数人の視聴者がスクリーンを同時に見てそこで各々シーンの３次元的に作用する映像を見ることができ、また視聴者が３次元の印象を失わずに横方向に動くことができる、オートステレオスコピックスクリーンの開発である。さらに本発明の目的は、こういった要求を満たす、オートステレオスコピックスクリーン上で３Ｄ映像を再生する対応する方法の提案である。
【課題を解決するための手段】
【０００６】
本発明によれば、主請求項の前提部分の機能と併せて主請求項の特徴的な機能を有するオートステレオスコピックスクリーンの他、補助的な請求項の機能を有する方法によってこの目的は達成される。有利な設計は、従属請求項の機能から推定される。
【０００７】
従って、まず本発明は、光学格子の隣接するストリップ状構造体の横方向の位置のずれにより画定される、光学素子の駆動によって変化させることができる光学格子の周期長を想定する。このために、画素マトリクスに加えて光学素子も、制御ユニットにより駆動可能である。こういった特性を備えた光学格子を形成することができる光学素子は、例えば文献ＵＳ２０１１／０１５７４９７Ａ１から、それ自体周知である。
【０００８】
次いで本発明による制御ユニットは、視聴距離の変化に対して、以下の段階、すなわち、
‐光学格子の周期長を増加または減少させる段階と、
‐サブセットを形成する画素結合体の幅または平均幅を、前述のストリップの少なくとも１つの幅の分だけ変化させるようなやり方で、前述のサブセットを再画定する段階とを実行するように構成され、特にサブセットの再画定
‐従って、映像情報の画素マトリクス上への再分配‐はそれにより、隣接する視聴ゾーンの横方向の位置のずれの相対的変化が視聴距離の相対的変化よりも小さくなるように達成される。それにより当然のことながら、視聴距離が変化する毎に、また全ての視聴距離の変化で、これらの２つの段階を実行するように制御ユニットを構成する必要はない。むしろ、可能性のあるできる限り多くの視聴距離の変化に対し、適応するために前述の段階を実行する画定された変化が、少なくとも１つ存在することを意味する。
【０００９】
従って、通常ノミナルな視聴距離を設定するスクリーンの光学特性は、格子としての機能を果たす光学素子の特殊な特性のために変更はもはや不可能であるため、本発明は、夫々対応して駆動される光学素子を備えたスクリーンの光学特性を、画素マトリクスの画素を同時に最適利用すると共に変化させて、異なる視聴距離からの観察に適するようにすることができるという事実を利用する。
【００１０】
これを利用すると、変化しない光学格子を用いて視聴距離を減少させるために、例えば隣接する画素結合体の横方向の位置のずれを増加させることによって、一定のスクリーン形状で単純に映像情報を画素マトリクス上に再分配することによって視聴距離の変化に適応するものに比べて、決定的な優位性が達成される。まず、各選択された視聴距離において異なる立体半映像を見ることができる視聴ゾーンが両眼の２つの瞳の間の距離に十分に正確に対応する幅と各隣接する視聴ゾーンに対する横方向の位置のずれとを常に有するように、前述のサブセットを形成する画素結合体の幅を、いくつかのストリップを一緒に適切にグルーピングすることによって各場合に選択することができる。このために本発明は、視聴距離の特定の変化で、結合体当たりのストリップの数を増加または減少させることによって、結合体の幅または平均幅を前述のストリップの少なくとも１つの幅の分だけ変化させることを想定する。さらに、必要に応じて光学格子の周期長を増加させたり、あるいは減少させたりするという事実によって、サブセットを形成する画素結合体の幅が変化したかどうかに拘わらず、うまく画素マトリクスの画素を、使用されずに残る残部を少なくとも大部分は含むことなく、画定された幅の結合体を含むサブセット上に少なくとも略完全に分配することができ、従って半映像の再生のために使用することができる。これにより各場合に、可能な限り最善の映像シャープネスおよび映像輝度が、画素マトリクスの所与の画素サイズおよび画素数、所与の視聴距離、および所与の数の再生される半映像または視聴ゾーンによって得られる。
【００１１】
典型的には制御ユニットは、視聴距離の変化に対して、サブセットとこれに応じた複数の再生される立体半映像との前述の数をさらに増加または減少させるようにさらに構成され、その結果要件に従って、再生されるスクリーンを３次元的に見ることができる、視聴ゾーンが広がる領域の幅、および／または映像シャープネスまたは映像解像度を、十分に高く選択することができる。
【００１２】
本発明では、多数の画素を有する画素マトリクスと、画素マトリクスの前方または背後に配置された光学素子とを備えたオートステレオスコピックスクリーンでの、３以上の異なる映像の同時再生のための対応する有利な方法をさらに提案し、このとき画素マトリクスの画素は、鉛直のコースを有する、あるいは鉛直に対して傾斜している、多数の平行な画素ストリップを形成するように配置され、光学素子は、互いに等距離の位置に隣り合ってストリップに平行に延びた、ストリップ状構造体の群を有する光学格子を形成し、この格子は各場合に、画素により放射または伝送される光に対し、画定された伝播方向を定め、隣接するストリップ状構造体の横方向の位置のずれにより画定される光学格子の周期長は、光学素子を駆動することによって変化させることができる。この方法では、複数の立体半映像の映像情報に基づいて、これらの半映像の夫々が、これと同じ数の画素のサブセットのうち１つのサブセット上で各場合に表示されるようなやり方で、画素マトリクスを駆動し、このときこれらのサブセットの夫々は、前述のストリップのうちの１つまたは複数によって各場合に形成される画素結合体の、群によって形成され、異なるサブセットのこれらの結合体は水平方向において循環的に交替し、その結果、立体半映像の夫々は、スクリーンの前方の視聴距離で、横方向に位置のずれたいくつかの視聴ゾーンのうちの各場合に１つから見ることができる。提案される方法では、光学格子の周期長を増加または減少させ、かつサブセットを形成する画素結合体の幅または平均幅を前述のストリップの少なくとも１つの幅の分だけ変化させるようなやり方で、前述のサブセットを再画定することによって、視聴距離を変化させ、その結果、隣接する視聴ゾーンの横方向の位置のずれの相対的変化は、視聴距離の相対的変化よりも小さくなる。さらに、視聴距離を変化させるために、サブセットおよびこれに応じた複数の再生される立体半映像の前述の数を、必要に応じて増加または減少させてもよい。この方法は特に、本書で説明したタイプのオートステレオスコピックスクリーンで実行することができる。
【００１３】
視聴距離の増加または減少によって特定の閾値を上回るまたは下回るときはいずれの場合でも、視聴距離の減少に対してはサブセットを形成する結合体の幅を増加させ、また視聴距離の増加に対してはこの幅を減少させて、その結果、可能性のある全ての視聴距離で個々の視聴ゾーンの幅とその横方向の位置のずれとが平均的な瞳の距離にできる限り正確に対応することになるように、制御ユニットを構成すると有効である。これは光学素子が画素マトリクスの前方に配置される場合に当てはまる。光学素子が画素マトリクスの背後に配置される場合には、反対のものが適用される。従って、典型的な設計において提案される方法は、視聴距離が減少すると、このためにサブセットを形成する結合体の幅を増加させること、または視聴距離が増加すると、このためにサブセットを形成する結合体の幅を減少させることを想定する。代わりに、光学素子が画素マトリクスの前ではなく画素マトリクスの背後に配置される場合には、サブセットを形成する結合体の幅を減少させることによって視聴距離を減少させることができ、あるいはサブセットを形成する結合体の幅を増加させることによって視聴距離を増加させることができる。
【００１４】
画素マトリクスの全ての画素を可能な限り最善に利用することに関して特に有利な提案されるスクリーンの一実施の形態は、前述の結合体の全てまたは大多数がこれらの結合体を通じて同じ整数の数の前述の画素ストリップによって各場合に形成されるように、サブセットを各場合にそれにより画定するよう構成された制御ユニットを想定し、このとき制御ユニットは、視聴距離の前述の変化に対してこの整数の数を増加または減少させ、それにより光学格子の周期長を、サブセットの数と変化の前の前述の整数の数との積に対する、サブセットの数と変化の後の前述の整数の数との積の、比率に相当する係数によって変化させるようにさらに構成される。従って制御ユニットは、サブセットの数に相当する画素結合体の個数に対して、結合体のいずれにも割り当てられていない画素ストリップ、または大多数の結合体の幅とは異なる結合体のうちの１つの幅に寄与する画素ストリップが、平均で１つ未満となるようにサブセットを各場合に画定するように構成され得る。
【００１５】
同じ観点で特に有効な方法の一実施の形態では、前述の結合体の全てまたは大多数がこれらの結合体を通じて等しい整数の数の前述の画素ストリップによって各場合に形成されるように、サブセットは各場合に画定され、視聴距離を変化させるときにこの整数の数を増加または減少させ、それにより光学格子の周期長を、サブセットの数と視聴距離を変化させる前の前述の整数の数との積に対する、サブセットの数と視聴距離を変化させた後の前述の整数の数との積の、比率に相当する係数によって変化させる。それによりサブセットは各場合に、サブセットの数に相当する画素結合体の個数ごとに、結合体のいずれにも割り当てられていない画素ストリップ、または画素マトリクスの残りの大多数の結合体の幅とは異なる結合体のうちの１つの幅に寄与する画素ストリップが、平均で１つ未満となるように画定され得る。
【００１６】
サブセットを再画定するときに周期長をこのように変化させることを可能にするべく、光学素子は駆動のために、ストリップに平行に延びた電極の群を備えてもよく、このとき制御ユニットは、各場合にサブセットの数と前述の整数の数との積に相当する数の電極で周期を形成するように左から右へと周期的に変化する電気的コマンド変数で、電極を各場合に駆動するように構成される。コマンド変数に関しては、従って例えば電圧でもよい。それにより、電極の１つが前述の画素ストリップの夫々に割り当てられるようにスクリーンを設計してもよく、隣接する電極の横方向の位置のずれは、隣接する画素ストリップの横方向の位置のずれよりも係数Ｌn／（Ｌn＋ａ）だけ小さく、ここでａは画素マトリクスと光学格子との間の距離を示し、Ｌnはオートステレオスコピックスクリーンのノミナルな視聴距離を示す。この事例において、視聴距離がノミナルな距離に相当する場合、画素マトリクスの画素は少なくともこのとき残存することなくサブセット上に完全に分配され得る。
【００１７】
提案されるオートステレオスコピックスクリーンは、光学素子が液晶構造で与えられる場合、特に単純な手法で実現することができる。光学素子は、例えば可変のレンチキュラーレンズでもよく、この場合前述のストリップ状構造体はシリンドリカルレンズ状レンズで与えられ得る。従って、光学素子は特に液晶レンズ系でもよい。この事例では、レンズの屈折力が視聴距離に応じて選択されるように光学素子をさらに駆動することができ、従って光学素子は少なくとも視聴距離に適応させ易い。しかし他の光学素子の実施形態、すなわち透明と不透明のストリップが交互になった可変のパララックスバリアなども考えられ、所望の、周期長を変化させる能力を備えたこのようなパララックスバリアも、液晶構造によって特に単純な手法で実現することができる。あるいは光学素子は、粘弾性層、すなわち電極間で変形可能なゲルの粘弾性層により、またはエレクトロウェッティング構造によって実現することもできる。
【００１８】
さらにオートステレオスコピックスクリーンは、視聴者の頭または両眼からスクリーンまでの距離を検知するための装置を備えてもよい。この事例では、検知された距離に視聴距離が相当するように画素マトリクスと光学素子とを駆動するよう、また視聴距離が閾値を上回るまたは下回る場合に前述の段階を実行するよう、制御ユニットを構成すると有効になり得る。従って、変化する視聴距離へのスクリーンの適応は自動で行うことができる。
【００１９】
制御ユニットはさらに、‐自動適応の代わりとして特定の状況下で‐手動入力または入力信号に基づいて視聴距離を設定するように構成してもよく、またこの入力または入力信号によって視聴距離の変化が画定され、これによって視聴距離が閾値を上回るまたは下回る場合に、前述の段階を実行するように制御ユニットを構成してもよい。
【００２０】
スクリーンに近づいたとき、そのままでは視聴ゾーンの幅および横方向の位置のずれが小さくなり過ぎる場合に、直接隣接する視聴ゾーン内に両眼の瞳が位置付けられる横方向の位置決めを視聴者が得ることを可能にするべく、結合体の幅を厳密に１つのストリップ分だけ増加させるように前述の閾値は例えば選択することができる。
【００２１】
このために、少なくともある整数ｋ≧１に対し、上で概説した機能を有する、
Ｌk＝Ｌn×Ｋ-1×（１＋ｖ）／（ｋ＋１）
で定義される閾値Ｌkが存在すると想定できる。このとき制御ユニットは、この閾値Ｌkを下回ると、全てまたは大多数の前述の結合体を各場合に形成する画素ストリップの数をｋからｋ＋１に増加させ、またこの閾値Ｌkを上回ると、全てまたは大多数の前述の結合体を各場合に形成する画素ストリップの数をｋ＋１からｋに減少させるように構成される。従って、上のＬkの定義でのＬnは、オートステレオスコピックスクリーンのノミナルな視聴距離を示し、一方Ｋは、２つの隣接する画素ストリップから発せられる光が、ノミナルな視聴距離でスクリーンに平行な向きの視聴平面に亘って、Ｋ×ＩＰＤだけ横方向に位置がずれることになるといったように定義される係数を示し、このＩＰＤは平均的な両眼の瞳の距離として定義される。最後に、ｖは０と１との間の値を有するパラメータを示す。典型的には０．３≦ｖ≦０．７である。
【００２２】
いくつかの状況では‐手動入力によるものでも視聴者からスクリーンまでの距離の検知によるものでも‐所与の視聴距離で、できる限り良い解像度に関連して、視聴ゾーンおよび従って再生される半映像の数は、より少ないままとすることがより好ましく、これに対し‐例えば比較的多数の視聴者が存在する‐他の状況では、同じ視聴距離を考慮すると、より多数の視聴ゾーンと再生される半映像とがより好ましいと考えられる。それにより、サブセットおよびこれに応じた複数の再生される立体半映像の数を、手動入力または入力信号に基づいて設定するように制御ユニットを構成すると有用になり得る。
【００２３】
本発明の実施形態例を、図１から７を用いて以下に説明する。
【図面の簡単な説明】
【００２４】
【図１】オートステレオスコピックスクリーンと、このスクリーンの前方の視聴空間とを示した概略図である。
【図２】このスクリーンの画素マトリクスの詳細前面図である。
【図３】このスクリーンの水平断面の詳細拡大図である。
【図４】図１に対応する、異なる駆動での同じスクリーンを表した図である。
【図５】類似したタイプの別のオートステレオスコピックスクリーンと、このスクリーンの前方の視聴空間とを示した概略図である。
【図６】図３に対応する、図５のスクリーンの断面を表した図である。
【図７】図５による、異なる駆動での図５のスクリーンを表した図である。
【発明を実施するための形態】
【００２５】
オートステレオスコピックスクリーンが図１に示されている。これは３以上の異なる映像を、これらの各映像を横方向に位置のずれた異なる視聴ゾーン１１および１１´夫々から見ることができるように同時再生するのに適した、マルチビューディスプレイの事例である。このオートステレオスコピックスクリーンは、例えばＬＣＤによって与えることができる画素マトリクス１２を含む。
【００２６】
この画素マトリクス１２の詳細が図２に示されている。画素マトリクスは行および列に配置された複数の画素１３を含み、本実施形態例では３つの基本色である赤色、緑色、および青色の画素１３が各場合に直線方向に循環的に交替している。図２の画素１３は夫々の基本色に応じて、赤色に対するＲ、緑色に対するＧ、および青色に対するＢのうちの１つの文字で特徴付けられている。画素マトリクス１２の画素１３は、画素１３から成る多数の平行なストリップ１４を形成するように配置され、このときこれらのストリップ１４は、各場合に画素１３の１つ分の幅を有し、また本実施形態例では画素マトリクス１２の列に対して傾斜したコースを有し、この結果、各場合に３つの異なる基本色の画素１３がストリップの方向において循環的に交替している。
【００２７】
光学素子１５が、オートステレオスコピックスクリーンの前面側の画素マトリクス１２の前方に配置され、前述のストリップ１４に平行に延びかつ互いに等距離の位置に隣り合って配置された、ストリップ状構造体の群を含む光学格子を形成する。これにより、光学素子１５により形成された光学格子は各場合に、画素１３が放射または伝送する光の画定された伝播方向を定める。光学素子１５の詳細は、図１のオートステレオスコピックスクリーンの水平断面の詳細を示した図３において認められる。全ての図面において、互いに対応する繰り返される特徴または要素は、同じ参照数字で各場合に示す。
【００２８】
本実施形態例で光学格子はレンチキュラーレンズであり、また前述のストリップ状構造体に関して、これはシリンドリカルレンズ状レンズの事例である。従って光学素子１５は、本事例では液晶レンズ系を形成するよう液晶構造によって与えられる。この結果、隣接するストリップ状構造体の横方向の位置のずれ、従って本事例では隣接するシリンドリカルレンズ状レンズの横方向の位置のずれにより画定される光学格子の周期長を、光学素子１５を駆動することによって変化させることができる。さらに特定の状況下では、レンズの屈折力も適応させることができる。このために、オートステレオスコピックスクリーンは制御ユニット１６を備え、この制御ユニットで光学素子１５だけでなく画素マトリクス１２も駆動する。光学素子１５の適切な駆動によって実現され得る３つの異なる考えられる周期長Ｄ1、Ｄ2、およびＤ3が、図３に描かれている。液晶構造によって実現されるシリンドリカルレンズ状レンズが、この図に実線、破線、および点線で夫々示されている。２つの周期長Ｄ1およびＤ2に対し、シリンドリカルレンズ状レンズのコースおよび幅が図２に特に破線および点線で夫々さらに描かれており、この表示の形式は、レンズが実際にこのように見えることを意味しているのではなく、位置依存的な作用で変化する屈折率によってレンズが真っ先にどのように認識されるかを単に示している。光学素子１５を、前述のストリップ状構造体またはシリンドリカルレンズ状レンズを形成するようなやり方で駆動するために、光学素子１５は前述の画素ストリップに平行に延びた電極１７の群を含む。少なくとも１つのさらなる電極１８が、光学素子１５をストリップ状電極１７とは反対の側で仕切る、透明プレート１９に提供される。液晶層が電極１７と少なくとも１つの電極１８との間に配置され、左から右へ‐図３では下から上へ周期的に変化する電圧で電極１７を駆動することによって、この層の中でシリンドリカルレンズ状レンズは形成される。
【００２９】
本実施形態例と比較して、種々の変更形態が考えられる。従って、例えば異なった配置の画素１３と、対応する異なった向きのストリップ状電極１７とを用いて、画素ストリップ１４並びに説明した事例ではシリンドリカルレンズ状レンズにより形成されるストリップ状構造体は、いくつかの状況下で厳密に鉛直のコースを有することもできる。他の実施形態では、レンチキュラーレンズの代わりに、互いに平行に配置された多数の不透明なストリップを備えたパララックスバリアが光学格子としての機能を果たすことができる。また、このパララックスバリアは液晶構造で実現することができ、その結果この事例でも、光学格子の隣接するストリップ状構造体の横方向の位置のずれ、従って光学格子の周期長は、光学素子１５の適切な駆動によって変化させることができる。最後に、類似したやり方で実現される光学素子１５を、画素マトリクス１２の前方ではなく、背後の、画素マトリクス１２と画素マトリクス１２の照明との間に、画素１３によって伝送される光の画定された伝播方向を各場合に定めるべく配置する実施形態も考えられる。
【００３０】
制御ユニット１６は、複数の‐本事例では最大９つの‐立体半映像の映像情報に基づいて、これらの半映像の夫々が、この複数に相当する数の画素１３のサブセットのうち、あるサブセット上で各場合に再生されるように、画素マトリクス１２を駆動するように構成される。従って、これらのサブセットの夫々は画素１３の結合体の群によって各場合に形成され、この結合体は１つまたはさらに複数の前述の画素ストリップ１４によってさらに各場合に形成され、異なるサブセットに属する結合体は水平方向において循環的に交替し、その結果、立体半映像の夫々はスクリーンの前方の視聴距離ＬnまたはＬで、図１において斜線で表示されている既に前述した夫々視聴ゾーン１１および１１´の各場合に１つから見ることができる。これらの視聴ゾーン１１および１１´に加えて、さらなる補助的なゾーンがこれらに隣り合って存在してもよく、ここでも同様に半映像の１つを各場合に見ることができるが、ここではこれに関知しない。
【００３１】
前述の画素１３のサブセットまたはこれらのサブセットを形成する画素１３の結合体が、どのように詳細に画定されるかについては、例えばいわゆるノミナルな視聴距離Ｌnや、あるいはこれとは異なり本事例ではより短く選択される視聴距離Ｌなどの様々な可能性のある視聴距離のうち、いずれに対してスクリーンを駆動するかに依存する。従って、視聴距離に特定の変化が生じたときに、異なる立体半映像を各場合に的確な視聴ゾーン１１および１１´夫々から確実に見ることができるようにするべく、光学素子１５を適切に駆動することによって光学格子の周期長をさらに変化させることを想定する。このために制御ユニット１６は、視聴距離Ｌの特定の変化に対して、光学格子の周期長を増加または減少させ、それと同時に、サブセットを形成する画素１３の結合体の幅または平均幅をそれによりストリップ１４の少なくとも１つの幅の分だけ変化させるよう前述のサブセットを再画定するように構成される。従って、視聴距離のＬnからＬへの減少に対しては、サブセットを形成する結合体の幅を１つのストリップ１４の幅から２つのストリップ１４の幅へと増加させ、また視聴距離のＬからＬnへの増加に対しては、各事例で１つのみのストリップ１４の幅へと減少させる。この結果、視聴ゾーン１１および１１´の幅の相対的変化、またこれに応じた視聴ゾーン１１および１１´の隣接する夫々の横方向の位置のずれの相対的変化は、スクリーンの駆動を説明したやり方で変化させた場合、視聴距離の相対的変化‐本事例ではＬnからＬまたはＬからＬn‐よりも小さくなる。従って、少なくともここで説明した事例では視聴距離の変化に対し、さらにサブセットおよびこれに応じた複数の再生される立体半映像の数も減少または増加させ、特に視聴距離がＬnからＬに短縮されると９から５に、また視聴距離がＬからＬnに増加すると５から９になる。
【００３２】
図１は、前述の視聴ゾーン１１および１１´が各場合に異なる立体半映像の１つのみを見ることができる領域としてスクリーンの前方の視聴空間で生じるように、画素マトリクス１２の異なる画素１３から発せられる光が光学素子１５の光学格子によってこの視聴空間へとどのように導かれるかを示しており、一方図２および３は、視聴距離をＬnからＬおよびＬからＬnに夫々変化させるべく、画素マトリクス１２および光学素子１５の駆動をどのように変化させるかを詳細に示している。
【００３３】
ノミナルな視聴距離Ｌnからのスクリーンの視聴に対し、本事例では９つの立体半映像が、これに応じた画素マトリクス１２の９つのサブセット上で再生される。従ってサブセットには１から９までの番号が付され、図２の画素１３には各場合に、この画素１３が属するサブセットの番号に相当する数字が各画素の上方領域に与えられている。図２において推定されるように、９つの異なるサブセットを形成する画素１３の結合体は、この事例では厳密に１つのストリップ１４によって各場合に形成され、従って厳密に１つのストリップ１４の幅を有する。この事例において光学素子１５は、これにより形成されるレンチキュラーレンズの周期長Ｄ1が、画素１３の隣接するストリップ１４の横方向の位置のずれｄの９倍に極めて正確に対応するように駆動される。実際には、周期長Ｄ1は若干小さくＤ1＝９×Ｌn／（Ｌn＋ａ）であり、ここでａは画素マトリクス１２と光学格子との間の実効距離を示す。従って、係数Ｌn／（Ｌn＋ａ）は１から極僅かしか異なっていないため、前述の横方向の位置のずれｄの９倍からの周期長Ｄ1のずれは図２および３において認識できない。この事例において電極１７は、各場合に９つの電極１７が周期を形成するように左から右へと周期的に変化する電圧で駆動され、その結果このように９つ全ての電極１７が各場合に同じ電圧を受ける。電極１７は、画素１３のストリップ１４の夫々に厳密に１つの電極１７が割り当てられるように配置され、このとき隣接する電極の横方向の位置のずれは既に前述した係数Ｌn／（Ｌn＋ａ）によって画素１３の隣接するストリップの横方向の位置のずれｄよりも小さく、そのため光学素子１５を説明したように駆動すると所望の周期長Ｄ1が得られる。
【００３４】
ここで、各場合に２つの立体半映像から成る立体映像を一人または数人の視聴者がノミナルな視聴距離Ｌnの代わりに、より短い視聴距離Ｌから見ることができるようスクリーンの駆動を適応させるべく、サブセットの数を９から本例では５つに減少させる。このとき各場合に２つのストリップ１４が結合体の１つを形成するべく一緒にグループ化されるように、サブセットを同時に再画定する。従って、全てまたは少なくとも大多数の結合体が、ここで各場合に２つの画素ストリップ１４により形成される。この事例でもサブセットに、ここでは特に１から５までの番号が付され、図２の画素１３には、この代わりの駆動で画素１３が割り当てられるサブセットの番号に相当する数字が各画素１３の下方領域に夫々与えられている。
【００３５】
画素マトリクス１２の画素１３を、夫々が少なくとも２つの画素１３の幅を有する５つのサブセット上に分配することを可能にし、しかし同時に画素マトリクス１２の画素１３をできる限り利用できるようにして、最終的には特定のサブグループの画素１３から発せられる光がこのサブセットに割り当てられた視聴ゾーン１１´へと確実にさらに正確に導かれるようにするべく、説明した駆動の変化で光学格子の周期長を、Ｄ2＝１０×Ｌn／（Ｌn＋ａ）＝（１０／９）×Ｄ1とされるＤ2へとＤ1から増加させる。このために、その駆動に対して異なる電圧で周期を形成する電極１７の数は９から１０に増加する。これにより図３は、レンチキュラーレンズがどのように変化して、実線で描かれているシリンドリカルレンズ状レンズの位置に、破線で描かれているシリンドリカルレンズ状レンズが生じるかを示している。図３でも画素１３の夫々に、各画素１３が割り当てられたサブセットの番号に相当する数字がさらに与えられている。図３では図示の画素１３のラインとは別に、対応する形で同じラインが破線によって丁度その左にもう１つ示されており、ここで記されている数字は、より短い視聴距離に対する駆動で各画素が割り当てられるサブグループの番号を表している。
【００３６】
この駆動でノミナルな視聴距離Ｌnよりも小さいスクリーンの前方の視聴距離Ｌに視聴ゾーン１１´が確実に生じるようにするべく、ここでは５つのみの立体半映像の映像情報を横方向に若干広がった形で画素マトリクス１２にさらに書き込まなければならない。このために、画素の個々のストリップ１４を数か所の位置で残存させて、これを暗く走査するか、あるいは画素１３の結合体の１つに加えてもよく、これにより後者の場合は例外的に、２つのみ画素１３の代わりに３つの画素１３の幅を得る。これらの特定のストリップ１４の画素１３を第１のサブグループまたは第５のサブグループに割り当てることができることを示すべく、これらの画素１３は図２の下方領域において夫々１／５によって特徴付けられている。これらの例外を考慮した場合でも、任意の事例においてサブセットは、全てまたは大多数の前述の画素１３の結合体がこれらの結合体を通じて同じ整数の数‐本事例では、ノミナルな視聴距離Ｌnでは１つ、より短い視聴距離Ｌでは２つ‐の前述のストリップ１４によって各場合に形成されるように、適切にプログラムされた制御ユニット１６によって各場合に夫々画定される。従って、この整数の数を視聴距離の変化に対して説明したやり方で‐本事例では１から２へ、あるいは２から１へ‐増加または減少させ、それにより光学格子の周期長を、サブセットの数と変化前の前述の整数の数との積‐本事例では９‐に対する、サブセットの数と変化後の前述の整数の数との積‐本事例では１０‐の、比率に相当する係数によって変化させる。視聴距離をＬnから本書で説明したＬまで短縮させる場合、この係数は１０／９であり、これは前に述べられたことから、また本書で定式化された原則から得られる。従って、制御ユニット１６は各場合に、サブセットの数に相当する結合体の個数に対して、結合体のいずれにも割り当てられていないか、あるいは大多数の結合体の幅とは異なる結合体のうちの１つの幅に寄与するストリップ１４が、平均で１つ未満となるようにサブセットを画定する。本事例においてこれは、図２に示されている詳細では特に視聴距離Ｌの場合に、下方領域において１／５で特徴付けられている画素を含むストリップ１４として単に示されており、一方ノミナルな視聴距離Ｌnの場合には、いずれの結合体にも割り当てられていないか、あるいは大多数の結合体の幅とは異なる結合体のうちの１つの幅に寄与するストリップ１４は全く存在しない。
【００３７】
視聴距離を短縮すると共に結合体の幅を広げるのには、視聴ゾーン１１および１１´が過度に狭くなるのを防止するといった目的がある。当然のことながらスクリーンは、ＬおよびＬnとは異なる例えばＬとＬnとの間にある視聴距離に対しても駆動することができる。従って、こういった様々な視聴距離への適応は、映像情報を画素マトリクス１２に多かれ少なかれ広がった形で書き込むことによって、適切にプログラムされた制御ユニット１６で各場合に達成することができ、その結果、いずれの結合体にも割り当てられていないか、あるいは大多数の結合体の幅とは異なる結合体のうちの１つの幅に寄与するストリップ１４の数が、若干多くまたは少なくなる。従って、どちらかといえば対応して与えられる横方向の広がりを無視して、まるで視聴距離がノミナルな視聴距離Ｌnに相当するかのようにスクリーンを駆動することが意味を成すかどうか、あるいはむしろ視聴距離Ｌの事例でスクリーンを駆動する方が、より意味を成すかどうかについては、視聴距離が特定の閾値を上回るか、またはこれを下回るかに依存する。本事例では、これを下回ると結合体当たりのストリップ１４の数を１から２に増加させ、またはこれを上回ると結合体当たりのストリップ１４の数を２から１に減少させる閾値Ｌ1をＬ1＝Ｌn×（１＋ｖ）／２として定義し、ここでｖは０と１の間の値を有するパラメータを示し、０．３≦ｖ≦０．７となるように選択すると有効である。類似したやり方で、視聴距離に対して他の閾値Ｌkを定義してもよく、この閾値Ｌkを下回ると、全てまたは大多数の前述の結合体を各場合に形成しているストリップ１４の数をｋからｋ＋１に増加させ、またこの閾値Ｌkを上回ると、全てまたは大多数の前述の結合体を各場合に形成しているストリップ１４の数をｋ＋１からｋに減少させることによって、画素マトリクス１２並びに光学素子１５の駆動に類似した変化を生じさせる。図１のスクリーンでは、これらの閾値ＬkをＬk＝Ｌn×（１＋ｖ）／（ｋ＋１）と定義すると有効である。より一般的にはＬk＝Ｌn×Ｋ-1×（１＋ｖ）／（ｋ＋１）であり、ここでＫは、画素１３の２つの隣接するストリップ１４から発せられる光が、ノミナルな視聴距離Ｌnでスクリーンに平行な向きの視聴平面に亘って、平均的な両眼の瞳の距離のＫ倍だけ横方向に位置がずれることになるといったように定義される係数を示す。従ってスクリーンを大人の視聴用に設計する場合、原則として平均的な両眼の瞳の距離を６５ｍｍと仮定してもよい。本例ではＫ＝１であるが、この係数を異なる値とする他の実施形態も考えられる。従って、図５から７によって以下でさらに説明する実施形態例では例えばＫ＝０．５である。
【００３８】
このため制御ユニット１６を、そのときのスクリーンの駆動で対象とする視聴距離を手動入力または入力信号に基づいて設定するように構成してもよく、また入力または入力信号によって視聴距離の変化が画定され、これによって視聴距離が閾値Ｌ1または閾値Ｌkのうちの１つを上回るまたは下回る場合、本書で既に詳細に説明したが、サブセットの再画定を常に実行し光学格子の周期長を変化させるように制御ユニットを構成してもよい。変化する視聴距離に対する駆動の自動適応を可能にするべく、スクリーンは図１に概略的に示した、視聴者の頭または両眼からスクリーンまでの距離を検知するための装置を含む。この装置は、画素マトリクス１２の上方に配置され、スクリーンの前方の視聴者空間へと方向付けられるステレオカメラ２０と、ステレオカメラ２０によって撮影された映像を、映像認識アルゴリズムを用いて評価する評価ユニット２１とを備える。こうして検知された視聴者の頭または両眼からスクリーンまでの距離は、次いで、検知された距離に視聴距離が対応するように画素マトリクス１２と光学素子１５とを駆動するよう構成された、制御ユニット１６に伝達される。この事例において、検知された距離は前述の入力信号に相当し、その結果検知された距離が閾値Ｌ1または閾値Ｌkのうちの１つを上回るまたは下回る場合、制御ユニット１６は前述のサブセットの画定を変化させ、かつ光学素子１５の駆動を変化させることを自動で実行する。
【００３９】
いくつかの状況において視聴ゾーン１１および１１´が広がる空間は、立体半映像によって再生されるシーンをできる限り多くの視聴者が見ることができるように、またはこれと共に一人または複数の視聴者ができる限り大きい横方向の動きの自由を得ることができるように、できる限り幅が広いことが好ましいであろう。他の状況において、特に一人のみの視聴者または極めて少数の視聴者がスクリーンの前方に置かれる場合には、視聴ゾーン１１および１１´が広がる空間を、より狭く保つと有利になり得る。これは、より高い解像度と従ってより鮮明な映像とが、これにより実現され得るためである。これに関しても、ここで説明したスクリーンは異なる要件に適応することができる。従って、視聴ゾーン１１および１１´が広がる領域の幅は、光学格子の周期長を増加させ、さらに各場合に半映像の１つが再生される画素１３のサブセットの数をこれに応じて増加させることによって、増加させることができる。これは、光学格子の周期長が増加すると減少する、解像度または映像シャープネスを犠牲にして達成される。一方、視聴ゾーン１１および１１´が広がる領域の幅を減少させてもよい。この例が、図１と同じスクリーンが見られる図４に示されている。スクリーンに近づくと映像シャープネスが過度に小さくなるのを防ぐべく、より短い視聴距離Ｌを有するスクリーンを、この事例では４つのみの立体半映像がこれに応じた画素の４つのみのサブセット上で再生されるように駆動し、このとき光学素子１５は、光学格子がより短い周期長Ｄ3、すなわちＤ3＝（８／９）×Ｄ1を有するように駆動される。この事例に対するレンチキュラーレンズと画素マトリクス１２の画素１３の対応する駆動とが図３に点線で描かれている。
【００４０】
夫々の状況に最適なスクリーンの駆動を可能にするべく、またサブセットの数と視聴ゾーン１１および１１´が広がる領域の幅とに関連し、制御ユニット１６は手動入力または入力信号に基づいてサブセットおよびこれに応じた複数の再生される立体半映像の数を設定するように構成され、その結果、前述の領域の幅を少なくとも特定の制限範囲内で自由に選択することができる。
【００４１】
図１に従って表現した図５は別のスクリーンを示しており、これは、画素１３がより小さく、より近い距離に配置され、その結果画素マトリクス１２はより高い解像度を有し、また光学素子１５の電極１７もこれに応じて細くなり、かつ互いにより狭い距離で隣り合って配置されているという事実によってのみ、前述のスクリーンと異なっている、従って、適切にプログラムされた制御ユニットによる画素マトリクス１２および光学素子１５の駆動は、これに応じて前述した例とは若干異なる。本実施形態例では、対になって互いに補足し３次元的に知覚可能な立体映像となる８つの異なる立体半映像が、ノミナルな視聴距離Ｌnからのスクリーンの視聴のために画素の８つのサブセット上で再生され、これらの各サブセットは画素１３の結合体の群によって形成され、これらの結合体は前のように画定された画素１３の２つのストリップ１４によって各場合に形成される。
【００４２】
図６では図３に対応する形で、画素マトリクス１２のこの駆動を画素ラインの例の他、この事例で選択される光学素子１５の駆動と共に示している。この事例で光学素子１５によって形成されるシリンドリカルレンズ状レンズが、図６に実線で示されている。視聴距離を、より小さい値Ｌに短縮させるために、７つのみの立体半映像がこれに応じた画素の７つのみのサブセット上で再生されるように、画素マトリクス１２の駆動を変化させ、このときこれらのサブグループを形成する画素１３の結合体は幅が広がって、単に２つではなく代わりに３つの画素１３のストリップ１４から形成される。同時に光学素子の駆動を、光学素子１５によって形成されるレンチキュラーレンズの周期長がＤ1からＤ2＝（２１／１６）×Ｄ1に増加するように変化させ、ここでＤ1＝１６×Ｄ×Ｌn／（Ｌn＋ａ）である。
【００４３】
あるいは、より短い視聴距離Ｌからの視聴のために、５つのみの立体半映像がこれに応じた画素１３の５つのみのサブセット上で再生されるようにスクリーンを駆動してもよく、この場合もこれらのサブセットは各場合に３つのストリップ１４の幅の多数の結合体から形成される。この事例において周期長は、より小さい値Ｄ3＝（１５／１６）×Ｄ1に減少し、これは図６において、表示された画素ラインの画素１３上への映像情報の夫々の分配と同様に点線で示されている。
【００４４】
図７は、視聴者空間の視聴距離Ｌから視聴するためのこの駆動で、視聴ゾーン１１´がどのようにスクリーン前方に存在するようになるかを示している。さらに図７には、より短い視聴距離Ｌ´に対してスクリーンがどのように駆動され得るかについても示されている。これに対し光学素子は、光学格子の周期長がこの場合も値Ｄ1を有するように駆動され、ここでは４つの立体半映像を再生するのための画素１３の４つのみのサブセットが、４つのストリップ１４によって各場合に形成された結合体の群からこれらの各サブセットが形成されるように画定される。
【図１】
2015531082.tif 000003
【図２】
2015531082.tif 000004
【図３】
2015531082.tif 000005
【図４】
2015531082.tif 000006
【図５】
2015531082.tif 000007
【図６】
2015531082.tif 000008
【図７】
2015531082.tif 000009
【国際調査報告】
2015531082.tif 000010
2015531082.tif 000011
2015531082.tif 000012